(57)【要約】      （修正有）【課題】防蟻剤を無駄にせず、かつ防蟻剤を継目部分の全長に亘って適切に供給する。【解決手段】防蟻システム１０は、建物１００の床下に用いられ、コンクリート構造体１０２，１０４の継目部分１０６に沿って設けられる遮液部材１２を備えており、当該継目部分１０６から屋内への白蟻の侵入を防止する。遮液部材１２は、コンクリート構造体１０２，１０４との間に閉空間１８を形成し、この閉空間１８には、防蟻剤を供給するためのフレキシブルホース２０が挿通される。フレキシブルホース２０のノズル２２から継目部分１０６に向かう方向に噴射された防蟻剤は、直接或いはコンクリート構造体１０２，１０４をつたって継目部分１０６に供給される。一方、フレキシブルホース２０のノズル２２から継目部分に向かわない方向に噴射された防蟻剤は、遮液部材１２によってとどめられ閉空間１８内に保持され、継目部分１０６に供給される。【選択図】図１
2010106441.tif 000002
【特許請求の範囲】
【請求項１】
建物の床下に用いられて、コンクリート構造体の継目部分から屋内への白蟻の侵入を防止するための防蟻システムであって、
前記継目部分に沿って設けられ、防蟻剤を供給するフレキシブルホースを挿通するための閉空間を前記コンクリート構造体との間に形成する遮液部材を備える、防蟻システム。
【請求項２】
前記遮液部材は、
前記フレキシブルホースを上方から覆う被覆部、および
前記被覆部と前記コンクリート構造体とを密着させる接合部を含む、請求項１記載の防蟻システム。
【請求項３】
前記コンクリート構造体は、第１コンクリート構造体と第２コンクリート構造体とを含み、前記接合部は、前記被覆部の一方端部と前記第１コンクリート構造体とを密着させるとともに、前記被覆部の他方端部と前記第２コンクリート構造体とを密着させる、請求項２記載の防蟻システム。
【請求項４】
前記閉空間内に設けられる管部材をさらに備える、請求項１ないし３のいずれかに記載の防蟻システム。
【請求項５】
前記コンクリート構造体の隅角部分に設けられるコーナ部材をさらに備える、請求項１ないし４のいずれかに記載の防蟻システム。
【請求項６】
前記遮液部材の始端と終端とが、一箇所でまとめて屋外側まで延設されて、ケーシングの内部に収容される、請求項１ないし５のいずれかに記載の防蟻システム。
【請求項７】
コンクリート構造体の継目部分から屋内への白蟻の侵入を防止するための防蟻処理方法であって、
（ａ）前記継目部分に沿って遮液部材を設け、
（ｂ）前記ステップ（ａ）で設けた遮液部材が前記コンクリート構造体との間に形成する閉空間に前記フレキシブルホースを挿通し、
（ｄ）前記フレキシブルホースの先端部から防蟻剤を供給しながら、当該先端部を前記遮液部材の始端と終端との間で移動させる、防蟻処理方法。
【請求項８】
前記ステップ（ｂ）で前記フレキシブルホースを前記閉空間に挿通する際に、当該フレキシブルホースを前記遮液部材の始端から終端に向けて移動させるための牽引用治具を用いる、請求項７記載の防蟻処理方法。
【発明の詳細な説明】
【技術分野】
【０００１】
この発明は、防蟻システムおよび防蟻処理方法に関し、特にたとえば、建物の床下に用いられて、コンクリート構造体の継目部分から屋内への白蟻の侵入を防止するための、防蟻システムおよび防蟻処理方法に関する。
【背景技術】
【０００２】
従来、建物の白蟻被害を防止するために、白蟻の主たる経路となっているコンクリート構造体の継目部分に防蟻剤を散布して、当該継目部分に生じている隙間からの白蟻の侵入を防止する防蟻処理が公知である。たとえば、特許文献１に記載された技術では、基礎と土間コンクリートとの継目部分近傍の地中に防蟻剤散布用パイプが配置される。そして、防蟻剤散布用パイプの上流端部に接続される防蟻剤注入パイプから注入された防蟻剤が、当該防蟻剤散布用パイプの管壁に形成されている無数の防蟻剤噴射用オリフィスを通って地中に散布される。
【特許文献１】特許第３７９１７７０号公報  [Ｅ０４Ｂ  １／７２]
【発明の開示】
【発明が解決しようとする課題】
【０００３】
しかしながら、特許文献１の技術では、防蟻剤散布用パイプに形成されているオリフィスからは、限り定めることなく防蟻剤が噴射される。このため、基礎と土間コンクリートとの継目部分以外の方向の地中にも防蟻剤が拡がってしまい、防蟻剤に無駄が多いという問題があった。
【０００４】
また、特許文献１の技術では、防蟻剤散布用パイプの上流端部で注入された防蟻剤が、地中に散布されていくことによって、当該防蟻剤散布用パイプの下流側に向かうにしたがって減少する。このため、防蟻剤の散布量が防蟻剤散布用パイプの上流側と下流側とで著しく不均一になってしまう。そして、防蟻剤散布用パイプの下流側に十分な量の防蟻剤が到達しなければ、当該防蟻剤散布用パイプの下流側の地中に適切な量の防蟻剤を散布することができない。
【０００５】
それゆえに、この発明の主たる目的は、新規な、防蟻システムおよび防蟻処理方法を提供することである。
【０００６】
この発明の他の目的は、防蟻剤を無駄にせず、かつ防蟻剤を継目部分の全長に亘って適切に供給することができる、防蟻システムおよび防蟻処理方法を提供することである。
【課題を解決するための手段】
【０００７】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００８】
第１の発明は、建物の床下に用いられて、コンクリート構造体の継目部分から屋内への白蟻の侵入を防止するための防蟻システムであって、継目部分に沿って設けられ、防蟻剤を供給するフレキシブルホースを挿通するための閉空間をコンクリート構造体との間に形成する遮液部材を備える、防蟻システムである。
【０００９】
第１の発明では、防蟻システム（１０）は、建物（１００）の床下に用いられ、コンクリート構造体（１０２，１０４）の継目部分（１０６）に沿って設けられる遮液部材（１２）を備えており、当該継目部分から屋内への白蟻の侵入を防止する。遮液部材は、コンクリート構造体との間に閉空間（１８）を形成し、この閉空間には、防蟻剤を供給するためのフレキシブルホース（２０）が挿通される。フレキシブルホースのノズル（２２）から継目部分に向かう方向に噴射された防蟻剤は、直接或いはコンクリート構造体をつたって継目部分に供給される。一方、フレキシブルホースのノズルから継目部分に向かわない方向に噴射された防蟻剤は、遮液部材によってとどめられて、閉空間内に保持される。そして、閉空間内に保持されている防蟻剤が、継目部分に供給される。
【００１０】
第１の発明によれば、たとえフレキシブルホースのノズルから継目部分に向かわない方向に噴射された防蟻剤であっても、遮液部材によってとどめて閉空間内に保持し、継目部分に供給することができる。したがって、無駄のない防蟻処理を行うことができる。
【００１１】
また、その閉空間に挿通されたフレキシブルホースのノズルを遮液部材の始端と終端との間で移動させることによって、防蟻剤を継目部分の全長に亘って均一に供給することができる。したがって、防蟻剤を継目部分の全長に亘って適切に供給することができる。
【００１２】
第２の発明は、第１の発明に従属し、遮液部材は、フレキシブルホースを上方から覆う被覆部、および被覆部とコンクリート構造体とを密着させる接合部を含む。
【００１３】
第２の発明では、遮液部材（１２）は、シート状に形成される被覆部（１４）および当該被覆部とコンクリート構造体（１０２，１０４）とを密着させる接合部（１６）を含む。たとえば、被覆部には、合成樹脂シートが用いられる。また、たとえば、接合部には、両面接着タイプのブチルゴム系テープが用いられる。
【００１４】
第２の発明によれば、適切に密封された閉空間内に防蟻剤が保持されるため、防蟻剤の臭気が外部に漏れることがない。
【００１５】
第３の発明は、第２の発明に従属し、コンクリート構造体は、第１コンクリート構造体と第２コンクリート構造体とを含み、接合部は、被覆部の一方端部と第１コンクリート構造体とを密着させるとともに、被覆部の他方端部と第２コンクリート構造体とを密着させる。
【００１６】
第３の発明では、コンクリート構造体（１０２，１０４）は、布基礎などの第１コンクリート構造体（１０２）と土間コンクリートなどの第２コンクリート構造体（１０４）とを含む。たとえば、接合部（１６）は、矩形のシート状に形成されて被覆部（１４）の両端部に重ねて貼り合わされ、被覆部の一方端部と第１コンクリート構造体の屋内側の側面とを、ならびに当該被覆部の他方端部と第２コンクリート構造体の上面とを密着させる。
【００１７】
第４の発明は、第１ないし３の発明に従属し、閉空間内に設けられる管部材をさらに備える。
【００１８】
第４の発明では、遮液部材（１２）がコンクリート構造体（１０２，１０４）との間に形成する閉空間（１８）内に管部材（５０）が設けられ、その管部材内にフレキシブルホース（２０）が挿通される。たとえば、管部材は、可撓性を有するかつその管壁に無数の開口（５２）が形成された円筒管であり、その内部に挿通されたフレキシブルホース（２０）の移動を案内する。
【００１９】
第４の発明によれば、フレキシブルホースが管部材内でこれに保護され、遮液部材に接触することがない。したがって、遮液部材に欠損等が生じない。さらに、フレキシブルホースの挿入抵抗および引き抜き抵抗も低減されるため、防蟻処理の作業性が向上する。
【００２０】
第５の発明は、第１ないし４の発明に従属し、コンクリート構造体の隅角部分に設けられるコーナ部材をさらに備える。
【００２１】
第５の発明では、防蟻システム（１０）は、コンクリート構造体（１０２，１０４）の隅角部分（１０８）に設けられるコーナ部材（３４）をさらに備える。コーナ部材は、たとえば中空直方体状に形成され、コンクリート構造体の隅角部分において、遮液部材（１２）と他の遮液部材とを接続する。たとえば、コーナ部材は、その全面に亘って無数の開口（３８）が形成される側部（３６，３６ａ）を含み、この開口を通ってフレキシブルホース（２０）のノズル（２２）から噴射された防蟻剤がコーナ部材（３４）の外部に流出する。また、たとえば、側部（３６，３６ｂ）には、２つの接続口（４０）が形成され、コーナ部材の内部には、１つの接続口からもう１つの接続口へと連通してフレキシブルホースの移動を案内する通路部（４６）が形成される。
【００２２】
第５の発明によれば、フレキシブルホースの移動時に、当該フレキシブルホースのノズルの進行方向を変化させて、当該フレキシブルホースのノズルを円滑に移動させることができる。
【００２３】
さらに、フレキシブルホースのノズルから噴射された防蟻剤は、コーナ部材の開口を通って継目部分に供給される。したがって、コンクリート構造体の隅角部分における継目部分にも、確実な防蟻処理を行うことができる。
【００２４】
第６の発明は、第１ないし５の発明に従属し、遮液部材の始端と終端とが、一箇所でまとめて屋外側まで延設されて、ケーシングの内部に収容される。
【００２５】
第６の発明では、遮液部材（１２）の始端（１２ａ）と終端（１２ｂ）とが、一箇所にまとめられ、たとえば第１コンクリート構造体（１０２）の上部に設けられた連通口（３０）を通して屋外側まで延設されて、ケーシング（３２）の内部に収容される。このため、たとえばフレキシブルホース（２０）を遮液部材内に押し込むときに、このフレキシブルホースのノズル（２２）が遮液部材の端に到達しているかどうかを作業場所で目視確認することができる。したがって、継目部分（１０６）の全長に亘って確実に防蟻処理を行うことができる。
【００２６】
第７の発明は、コンクリート構造体の継目部分から屋内への白蟻の侵入を防止するための防蟻処理方法であって、（ａ）継目部分に沿って遮液部材を設け、（ｂ）ステップ（ａ）で設けた遮液部材とコンクリート構造体との間に形成される閉空間内にフレキシブルホースを挿通し、（ｄ）フレキシブルホースの先端部から防蟻剤を供給しながら、当該先端部を遮液部材の始端と終端との間で移動させる、防蟻処理方法である。
【００２７】
第７の発明では、ステップ（ａ）において、コンクリート構造体（１０２，１０４）の継目部分（１０６）に沿って遮液部材（１２）を設ける。ステップ（ｂ）において、遮液部材がコンクリート構造体との間に形成する閉空間（１８）にフレキシブルホース（２０）を挿入する。ステップ（ｃ）において、たとえばフレキシブルホースの先端部に設けられているノズル（２２）から防蟻剤を噴射する。そして、フレキシブルホースのノズルから防蟻剤を噴射している状態のまま、当該ノズルを遮液部材の始端（１２ａ）と終端（１２ｂ）との間で移動させる。
【００２８】
第７の発明によれば、第１の発明と同様の作用効果を奏する。
【００２９】
第８の発明は、第７の発明に従属し、ステップ（ｂ）でフレキシブルホースを閉空間に挿通する際に、当該フレキシブルホースを遮液部材の始端から終端に向けて移動させるための牽引用治具を用いる。
【００３０】
第８の発明では、フレキシブルホース（２０）を閉空間（１８）に挿通する際に、このフレキシブルホースを遮液部材（１２）の始端（１２ａ）から終端（１２ｂ）に向けて牽引移動させるための牽引用治具を用いる。
【発明の効果】
【００３１】
この発明によれば、継目部分に沿って遮液部材が設けられ、当該遮液部材がコンクリート構造体との間に形成する閉空間に防蟻剤を供給するフレキシブルホースが挿通される。したがって、防蟻剤を無駄にせず、かつ防蟻剤を継目部分の全長に亘って適切に供給することができる。
【００３２】
この発明の上述の目的，その他の目的，特徴および利点は、図面を参照して行う以下の実施例の詳細な説明から一層明らかとなろう。
【発明を実施するための最良の形態】
【００３３】
この発明の一実施例である防蟻処理方法は、建物１００の床下に適用され、布基礎などの第１コンクリート構造体１０２と土間コンクリートなどの第２コンクリート構造体１０４との継目部分１０６に防蟻剤を供給することによって、当該継目部分１０６から屋内への白蟻の侵入を防止するものであり、たとえば図１に示すような防蟻システム１０において用いられる。
【００３４】
図１および図２に示すように、防蟻システム１０は、継目部分１０６に沿って設けられる遮液部材１２を備える。遮液部材１２は、後述するフレキシブルホース２０を上方から覆う被覆部１４、および被覆部１４とコンクリート構造体１０２，１０４とを密着させる接合部１６を含み、コンクリート構造体１０２，１０４との間に閉空間１８を形成する。
【００３５】
ただし、この実施例における「閉空間」とは、遮液部材１２と第１コンクリート構造体１０２と第２コンクリート構造体１０４とによって囲繞される空間を意味し、必ずしも閉ざされた空間であることを前提とするものではない。
【００３６】
被覆部１４には、たとえばフレキシブルホース２０の径に応じたサイズに加工した合成樹脂シートが用いられる。また、接合部１６には、たとえば両面接着タイプのブチルゴム系テープが用いられる。接合部１６は、被覆部１４の両端部に重ねて貼り合わされて、被覆部１４の一方端部と第１コンクリート構造体１０２の屋内側の側面とを、ならびに当該被覆部１４の他方端部と第２コンクリート構造体１０４の上面とを接合する。
【００３７】
上述したように、遮液部材１２は、コンクリート構造体１０２，１０４との間に閉空間１８を形成する。そして、この閉空間１８には、防蟻剤を供給するためのフレキシブルホース２０が挿通される。
【００３８】
図３に示すように、フレキシブルホース２０は、たとえばゴム製の高圧ホースであるが、これに限定される必要はなく、防蟻剤の注入圧力に耐えることができる、かつ柔軟で自由自在に曲げることができる構造であればよい。フレキシブルホース２０の呼び径は、たとえば１５ｍｍである。ただし、図面の都合上、フレキシブルホース２０の径を実際よりも大きく図示していることに留意されたい。
【００３９】
フレキシブルホース２０の先端部には、防蟻剤を噴射するノズル２２が設けられている。ノズル２２の形状および形式は、特に限定されず、防蟻剤を供給する範囲などの適用条件によって適宜選択可能であるが、防蟻剤が放射状に噴射して噴射パターンが円形となるコーンパターンノズルが好適である。
【００４０】
また、フレキシブルホース２０の後端部には、当該フレキシブルホース２０に防蟻剤を注入するためのポンプ（図示せず）が接続されている。
【００４１】
フレキシブルホース２０は、少なくともその両端部を除いて、ホースリール２４に巻きつけられている。ホースリール２４は、フレキシブルホース２０を巻きつけるためのリールドラム２６と、当該リールドラム２６を回転させるためのハンドル２８とを備えており、ハンドル２８を把持してリールドラム２６を回転させることによって、フレキシブルホース２０を多列多段に巻き取ることができる。
【００４２】
このような防蟻システム１０を用いて、建物１００の床下に防蟻処理を行う方法を以下に示す。
【００４３】
先ず、継目部分１０６に沿って遮液部材１２を設ける。具体的には、図４に示すように、継目部分１０６の全長に亘って遮液部材１２を配置する。そして、遮液部材１２の両端（始端１２ａと終端１２ｂ）を一箇所にまとめて上方に立ち上げ、第１コンクリート構造体１０２の上部に設けた壁板（図示せず）の連通口３０を通して屋外側まで延設し、たとえば中空直方体状のケーシング３２の内部に収容する。なお、ケーシング３２には、幼児などによる誤使用を防止するために、防蟻処理以外の時には鍵を掛けておくと好適である。
【００４４】
次に、遮液部材１２がコンクリート構造体１０２，１０４との間に形成する閉空間１８に、フレキシブルホース２０を挿通する。具体的には、遮液部材１２の始端１２ａからフレキシブルホース２０を挿入して、当該フレキシブルホース２０のノズル２２（先端部）が遮液部材１２の終端１２ｂに到達していることが目視確認できるまで、フレキシブルホース２０を遮液部材１２内に押し込む。なお、この実施例における遮液部材１２の「始端」とは、フレキシブルホース２０が挿入される側の一方端を意味し、「終端」とは、当該遮液部材１２における他方端を意味する。
【００４５】
続いて、フレキシブルホース２０の後端部に接続されているポンプを作動させる。すると、防蟻剤がフレキシブルホース２０に注入される。この防蟻剤は、フレキシブルホース２０を通ってノズル２２まで導かれ、当該ノズル２２から噴射される。なお、防蟻剤としては、ピレスロイド系、ネオニコチノイド系、カーバメイト系、有機リン系等の周知の防蟻効果を有する薬液剤を使用することができる。
【００４６】
次に、フレキシブルホース２０のノズル２２を遮液部材１２の終端１２ｂと始端１２ａとの間で移動させる（図１参照）。具体的には、ポンプを作動させた状態、すなわち防蟻剤を噴射している状態のまま、ハンドル２８を把持してリールドラム２６を回転させて、フレキシブルホース２０をホースリール２４に巻き取り、当該フレキシブルホース２０のノズル２２を遮液部材１２の終端１２ｂから始端１２ａに向かって移動させる。なお、フレキシブルホース２０に防蟻剤を注入するポンプの圧力やノズル２２を移動させる速度などは、遮液部材１２の構造や配置状況などに応じて、適宜設定する。
【００４７】
そして、フレキシブルホース２０のノズル２２が遮液部材１２の始端１２ａに到達すると、ポンプを停止させて、作業を終了する。
【００４８】
このような防蟻処理方法では、フレキシブルホース２０のノズル２２から継目部分１０６に向かう方向に噴射された防蟻剤は、直接或いはコンクリート構造体１０２，１０４をつたって継目部分１０６に供給される。一方、フレキシブルホース２０のノズル２２から継目部分１０６に向かわない方向に噴射された防蟻剤は、遮液部材１２によってとどめられて、閉空間１８内に保持される。そして、閉空間１８内に保持されている防蟻剤が、継目部分１０６に供給される。
【００４９】
このように、この実施例によれば、たとえフレキシブルホース２０のノズル２２から継目部分１０６に向かわない方向に噴射された防蟻剤であっても、閉空間１８内に保持して、継目部分１０６に供給することができる。したがって、無駄のない防蟻処理を行うことができる。
【００５０】
さらに、この実施例では、遮液部材１２が継目部分１０６に沿って設けられ、当該遮液部材１２がコンクリート構造体１０２，１０４との間に形成する閉空間１８にフレキシブルホース２０が挿通される。このため、フレキシブルホース２０の移動時に、当該フレキシブルホース２０のノズル２２が継目部分１０６に沿うように案内される。そして、その閉空間１８に挿通されたフレキシブルホース２０のノズル２２を遮液部材１２の始端１２ａと終端１２ｂとの間で移動させることによって、防蟻剤を継目部分１０６の全長に亘って均一に供給することができる。したがって、防蟻剤を継目部分１０６の全長に亘って適切に供給することができる。
【００５１】
さらにまた、この実施例では、遮液部材１２の始端１２ａと終端１２ｂとが、一箇所でまとめられて、屋外側まで延設される。このため、フレキシブルホース２０を遮液部材１２内に押し込むときに、このフレキシブルホース２０のノズル２２が遮液部材１２の終端１２ｂに到達しているかどうかを作業場所で目視確認することができる。したがって、継目部分１０６の全長に亘って確実に防蟻処理を行うことができる。
【００５２】
なお、上述の実施例では、遮液部材１２の被覆部１４として合成樹脂シートが用いられたが、これに限定される必要はなく、コンクリート構造体１０２，１０４との間にフレキシブルホース２０を挿通するための閉空間１８を形成し、かつこのフレキシブルホース２０の移動を案内することができるのであれば、任意の形状および材質の被覆部１４を用いることができる。
【００５３】
たとえば、図５に示すように、矩形の板状に形成される被覆部１４を斜めに傾けて配置し、その一方端部と第１コンクリート構造体１０２の屋内側の側面とを接合部１６によって密着させるとともに、その他方端部と第２コンクリート構造体１０４の上面とを接合部１６によって密着させてもよい。この場合には、遮液部材１２は、コンクリート構造体１０２，１０４との間に断面略三角形状の閉空間１８を形成する。
【００５４】
また、たとえば、図６に示すように、断面略Ｌ字の板状に形成される被覆部１４を配置し、その一方端部と第１コンクリート構造体１０２の屋内側の側面とを接合部１６によって密着させるとともに、その他方端部と第２コンクリート構造体１０４の上面とを接合部１６によって密着させてもよい。この場合には、遮液部材１２は、コンクリート構造体１０２，１０４との間に断面略正方形状の閉空間１８を形成する。
【００５５】
さらに、上述の実施例では、フレキシブルホース２０をホースリール２４に巻き取ることによってノズル２２を移動させたが、これに限定される必要はなく、フレキシブルホース２０を作業員が直接把持して引き抜くことによってノズル２２を移動させてもよい。
【００５６】
さらにまた、上述の実施例では、フレキシブルホース２０の後端部に設けられたポンプから防蟻剤が注入され、そのフレキシブルホース２０の先端部に設けられたノズル２２から防蟻剤が供給されたが、これに限定される必要ない。たとえば、ポンプを接続せずに、フレキシブルホース２０の後端部に直接防蟻剤を注入してもよい。また、ノズル２２を設けずに、フレキシブルホース２０の先端部から直接防蟻剤を放出させてもよい。
【００５７】
さらに、上述の実施例では、防蟻剤を噴射しているノズル２２を遮液部材１２の終端１２ｂから始端１２ａに向けて移動させたが、これに限定される必要はない。たとえば、防蟻剤を噴射している状態のまま、フレキシブルホース２０を遮液部材１２内に押し込み、そのノズル２２を遮液部材１２の始端１２ａから終端１２ｂに向けて移動させてもよい。
【００５８】
さらに、フレキシブルホース２０を閉空間１８に挿通する場合には、フレキシブルホース２０を遮液部材１２の始端１２ａから終端１２ｂに向けて牽引移動させるための牽引用治具を用いることもできる。たとえば、予め、閉空間１８内にワイヤ（図示せず）などを引き込んでおき、当該ワイヤをフレキシブルホース２０の先端に固定して、フレキシブルホース２０を牽引する。また、たとえば、前回防蟻処理を行った際に用いたフレキシブルホース２０を閉空間１８内に残置しておき、当該残置したフレキシブルホース２０によって新しいフレキシブルホース２０を牽引する。
【００５９】
さらにまた、上述の実施例では、遮液部材１２の始端１２ａと終端１２ｂとが、一箇所でまとめて屋外側まで延設されたが、これに限定される必要はない。たとえば、遮液部材１２の終端１２ｂを屋内に配置し、かつ封止してもよい。この場合には、フレキシブルホース２０のノズル２２が遮液部材１２の終端１２ｂに到達したかどうかを目視確認することができないため、ノズル２２が遮液部材１２の終端１２ｂに到達するときのフレキシブルホース２０の挿入寸法をケーシング３２などに記載しておき、その記載に基づいてフレキシブルホース２０を挿入するとよい。また、遮液部材１２の始端１２ａを建物１００における玄関の下駄箱の内部などに配置して、そこからフレキシブルホース２０を挿入してもよい。
【００６０】
さらに、上述の実施例では、１つの遮液部材１２を継目部分１０６の全長に亘って配置した（図４参照）が、これに限定される必要はなく、複数の遮液部材１２を適宜接続して配置してもよい。そして、この場合には、コンクリート構造体１０２，１０４の隅角部分１０８において、遮液部材１２と他の遮液部材１２とをコーナ部材３４によって接続することもできる。
【００６１】
図７および図８に示すように、コーナ部材３４は、たとえば合成樹脂によって中空直方体状に形成され、コンクリート構造体１０２，１０４の隅角部分１０８において、遮液部材１２と他の遮液部材１２とを接続する。
【００６２】
コーナ部材３４は、当該コーナ部材３４の側壁面を構成する側部３６を備える。側部３６は、第１側部３６ａおよび第２側部３６ｂを含み、第１側部３６ａと第２側部３６ｂとによって角筒状に形成される。
【００６３】
第１側部３６ａは、上面視で略Ｌ字形状を有する板状に形成され、第１コンクリート構造体１０２の屋内側の側面のそれぞれに当接する。第１側部３６ａには、その全面に亘って無数の開口３８が形成されており、フレキシブルホース２０のノズル２２から噴射された防蟻剤がこの開口３８を通ってコーナ部材３４の外部に流出する。
【００６４】
また、第２側部３６ｂは、上面視で略Ｌ字形状を有する板状に形成され、第１コンクリート構造体１０２の屋内側の側面のそれぞれに同時に対向する。第２側部３６ｂには、２つの接続口４０が形成される。
【００６５】
さらに、側部３６の上部には、蓋部４２が設けられる。蓋部４２は、矩形の板状に形成され、側部４２を上方から塞いでいる。
【００６６】
側部３６の内側には、底部４４が一体的に形成される。底部４４の上面は、継目部分１０６に向かう下り勾配を有しており、たとえば、その一方端が第２側部３６ｂの上端部に位置し、その他方端が第１側部３６ａの下端部に位置している。
【００６７】
また、コーナ部材３４の内部には、１つの接続口４０からもう１つの接続口４０へと連通する通路部４６が形成されており、当該通路部４６によってフレキシブルホース２０の移動が案内される。たとえば、通路部４６としては、その管壁に無数の孔４８が形成された有孔管が用いられる。
【００６８】
このように、この実施例では、コンクリート構造体１０２，１０４の隅角部分１０８にコーナ部材３４が設けられ、コーナ部材３４は、コンクリート構造体１０２，１０４の隅角部分１０８において、遮液部材１２と他の遮液部材１２とを接続する。
【００６９】
ここで、コンクリート構造体１０２，１０４の隅角部分１０８では、たとえばフレキシブルホース２０のノズル２２が第１コンクリート構造体１０２の屋内側の側面に突き当たってしまうなどして、当該フレキシブルホース２０のノズル２２の進行方向を変化させることが困難である。このため、フレキシブルホース２０のノズル２２を円滑に移動させることができない可能性がある。
【００７０】
また、コンクリート構造体１０２，１０４の隅角部分１０８では、フレキシブルホース２０の急角度での曲げが制限されてしまうため、フレキシブルホース２０の曲げが制限されない程度に遮液部材１２を継目部分１０６から離さねばならず、この場合には、コンクリート構造体１０２，１０４の隅角部分１０８における継目部分１０６に確実な防蟻処理を行うことができない。
【００７１】
しかしながら、この実施例では、コンクリート構造体１０２，１０４の隅角部分１０８において、コーナ部材３４（通路部４６）にフレキシブルホース２０の移動が案内される。このため、フレキシブルホース２０の移動時に、当該フレキシブルホース２０のノズル２２の進行方向を変化させて、当該フレキシブルホース２０のノズル２２を円滑に移動させることができる。
【００７２】
さらに、フレキシブルホース２０のノズル２２から噴射された防蟻剤は、コーナ部材３４の内部で拡散し、その後重力によって緩やかに底部４４の上面に流れ落ちる。そして、底部４４に沿って継目部分１０６に向けて流れる防蟻剤が、開口３８を通って継目部分１０６に供給される。したがって、コンクリート構造体１０２，１０４の隅角部分における継目部分１０６に確実な防蟻処理を行うことができる。
【００７３】
なお、上述の実施例では、コーナ部材３４は、合成樹脂によって形成されたが、これに限定される必要はなく、スポンジ等の吸水性に優れる材料、およびフィルタ等の通水性と遮水性とを有する材料によってコーナ部材３４を形成することもできる。
【００７４】
また、中空直方体状に形成されたコーナ部材３４に限定される必要もなく、コンクリート構造体１０２，１０４の隅角部分１０８の形状に対応させた任意の形状のコーナ部材３４を形成することができる。
【００７５】
たとえば、コーナ部材３４に第１側部３６ａを形成しなくてもよい。この場合には、底部４４の上面に沿って流れる防蟻剤が、そのまま継目部分１０６に供給される。
【００７６】
また、たとえば、底部４４が継目部分１０６に向かう下り勾配を有していなくてもよく、さらにコーナ部材４０に底部４４を形成しなくてもよい。この場合でも、フレキシブルホース２４のノズル２６から噴射された防蟻剤が、コーナ部材４０の内部に保持され、その後コンクリート構造体１０２，１０４をつたって継目部分１０６に供給される。
【００７７】
図９および図１０に示すこの発明の他の一実施例である防蟻システム１０は、閉空間１８内に設けられる管部材５０をさらに備える。以下、図１の実施例における防蟻システム１０と同様である部分に関しては、詳細な説明は省略する。
【００７８】
図９および図１０に示すように、管部材５０は、ポリエチレンなどの合成樹脂によって形成され、コンクリート構造体１０２，１０４の継目部分１０６に沿って、閉空間１８内に設けられる。管部材５０は、可撓性を有するかつその管壁に無数の開口５２が形成された網状管であり、その呼び径は、たとえば３０ｍｍである。このような、網状管の具体例として、たとえば市販品では、大日本プラスチック（株）製のネトロンパイプ（商品名）等が用いられ得る。
【００７９】
このような防蟻システム１０を用いて、建物１００の床下に防蟻処理を行う方法を以下に示す。
【００８０】
先ず、１本の長尺の管部材５０を用意する。そして、管部材５０が継目部分１０６に沿うように、当該管部材５０を継目部分１０６の全長に亘って配置し、配管用固定具（図示せず）などによって第１コンクリート構造体１０２ないし第２コンクリート構造体１０４に固定する。それから、管部材５０の両端部を一箇所にまとめて上方に立ち上げ、第１コンクリート構造体１０２の上部に設けた壁板（図示せず）の連通口３０通して屋外側まで延設して、たとえば中空直方体状のケーシング３２の内部に収容する。
【００８１】
そして、管部材５０を上方から覆うように、継目部分１０６の全長に亘って遮液部材１２を設ける。
【００８２】
次に、管部材５０内にフレキシブルホース２０を挿通する。具体的には、管部材５０の一方開口（遮液部材１２の始端１２ａ）からフレキシブルホース２０を挿入して、当該フレキシブルホース２０のノズル２２が管部材５０の他方開口（遮液部材１２の終端１２ｂ）に到達していることが目視確認できるまで、フレキシブルホース２０を管部材５０内に押し込む。なお、ノズル２２から空気を放出しながらフレキシブルホース２０を管部材５０内に押し込むと、開口５２に目詰まりしている異物等を除去することができるため、好適である。
【００８３】
続いて、フレキシブルホース２０の後端部に接続されているポンプを作動させて、当該フレキシブルホース２０のノズル２２から防蟻剤を噴射する。それから、フレキシブルホース２０のノズル２２を管部材５０の他方開口（遮液部材１２の終端１２ｂ）から管部材５０の一方開口（遮液部材１２の始端１２ａ）に向かって移動させる。
【００８４】
そして、フレキシブルホース２０のノズル２２が管部材５０の一方開口（遮液部材１２の始端１２ａ）に到達すると、ポンプを停止させて、作業を終了する。
【００８５】
このような防蟻処理方法では、フレキシブルホース２０のノズル２２から噴射された防蟻剤が、管部材５０の開口５２および当該開口５２を除いた管壁のいずれか一方に到達する。管部材５０の開口５２に到達した防蟻剤は、開口５２を通過し、管部材５０の外部に流出して、継目部分１０６に供給される。一方、管部材５０の管壁に到達した防蟻剤は、当該管壁にとどめられ、その後重力によって管部材５０の下方へ流れ落ちる。そして、管部材５０の下方に位置している開口５２を通過した防蟻剤が、管部材１４の外部に緩やかに流出して、継目部分１０６に供給される。
【００８６】
このように、この実施例では、閉空間１８内に管部材５０が設けられる。管部材５０は、その内部空間が断面一定の円形であり、その内部に挿通されたフレキシブルホース２０の移動を案内する。このため、フレキシブルホース２０は、管部材５０内でこれに保護されて、遮液部材１２に接触することがない。したがって、遮液部材１２に欠損等が生じない。さらに、フレキシブルホース２０の挿入抵抗および引き抜き抵抗も低減されるため、防蟻処理の作業性が向上する。
【００８７】
なお、上述の実施例では、管部材５０として、その管壁に無数の開口５２が形成された網状管が用いられたが、これに限定される必要はない。たとえば、図１１および図１２に示すように、管部材５０として、その管壁に無数の孔５４が形成された有孔管を用いることもできる。このような管部材５０では、この孔５４が管部材５０の内部から外部へと防蟻剤を通すための開口５２として機能する。
【００８８】
さらに、図１３に示すように、管部材５０の管壁における周方向の一部にのみ孔５４を形成し、この孔５４が継目部分１０６に対向するように管部材１４を配置することもできる。この場合には、管部材５０の外部に流出する防蟻剤は、全て継目部分１０６或いはその近傍に供給される。したがって、防蟻剤をより無駄なく継目部分１０６に供給することができる。
【００８９】
また、たとえば、図示は省略するが、管部材５０の管壁に、周方向に間隔を隔てた複数のスリットを形成し、このスリットを開口５２として機能させてもよい。
【００９０】
さらにまた、この実施例における遮液部材１２と他の遮液部材１２とを、上述したコーナ部材３４によって接続することもできる。この場合には、コンクリート構造体１０２，１０４の隅角部分においても、管部材５０がフレキシブルホース２０の移動を案内するため、コーナ部材３４に通路部４６を設けなくてもよい。
【００９１】
なお、上述の各実施例ではいずれも、コンクリート構造体１０２，１０４の継目部分１０６に防蟻剤を供給し、この継目部分１０６から屋内への白蟻の侵入を防止したが、これに限定される必要はない。たとえば、図示は省略するが、たとえば第２コンクリート構造体１０４を上下方向に貫通する配管がある場合には、継目部分１０６に加えて、配管が第２コンクリート構造体１０４になす配管貫通部分を囲繞するように遮液部材１２を設け、この配管貫通部分から屋内への白蟻の侵入を防止してもよい。
【００９２】
さらに、配管が第２コンクリート構造体１０４になす配管貫通部分に限定される必要はなく、たとえばベタ基礎における地表面を覆う部分や防湿コンクリートに形成されている配管貫通部分、或いはそれらを含むコンクリート構造体１０２，１０４に生じている亀裂でも同様である。
【００９３】
また、上述した径や高さ等の具体的数値は、いずれも単なる一例であり、必要に応じて適宜変更可能である。
【図面の簡単な説明】
【００９４】
【図１】この発明の一実施例の防蟻システムを示す図解図である。
【図２】図１の防蟻システムを示す断面図である。
【図３】図１のフレキシブルホースをホースリールに巻きつけた状態を示す斜視図である。
【図４】図１の遮液部材を継目部分の全長に亘って配置した状態を示す図解図である。
【図５】この発明の別の実施例の防蟻システムを示す図解図である。
【図６】この発明の別の実施例の防蟻システムを示す図解図である。
【図７】この発明の別の実施例の防蟻システムを示す図解図である。
【図８】図７の防蟻システムを示す断面図である。
【図９】この発明のさらに別の実施例の防蟻システムを示す図解図である。
【図１０】図９の防蟻システムを示す断面図である。
【図１１】この発明のさらに別の実施例の防蟻システムを示す図解図である。
【図１２】図１１の防蟻システムを示す断面図である。
【図１３】この発明のさらに別の実施例の防蟻システムを示す断面図である。
【符号の説明】
【００９５】
１０  …防蟻システム
１２  …遮液部材
１４  …被覆部
１６  …接合部
１８  …閉空間
２０  …フレキシブルホース
２２  …ノズル
３４  …コーナ部材
５０  …管部材
１００  …建物
１０２  …第１コンクリート構造体
１０４  …第２コンクリート構造体
１０６  …継目部分
【図１】
2010106441.tif 000003
【図２】
2010106441.tif 000004
【図３】
2010106441.tif 000005
【図４】
2010106441.tif 000006
【図５】
2010106441.tif 000007
【図６】
2010106441.tif 000008
【図７】
2010106441.tif 000009
【図８】
2010106441.tif 000010
【図９】
2010106441.tif 000011
【図１０】
2010106441.tif 000012
【図１１】
2010106441.tif 000013
【図１２】
2010106441.tif 000014
【図１３】
2010106441.tif 000015